(57)【特許請求の範囲】
【請求項１】
光源から照射する照明光にデータを重畳させて伝送する１乃至複数の照明器具と、照明光に重畳されたデータを受信する１乃至複数の受信装置とを有する照明光伝送システムであって、
照明器具は、光源と、光源を点灯する点灯手段と、点灯手段を制御して光源から照射される照明光に２値のデータを重畳するデータ重畳手段とを備え、
データ重畳手段は、点灯手段から光源に供給される電流の周波数を２値のデータに対応した第１および第２の周波数に切り換えて周波数変調するとともに、データを重畳しないときは光源に供給される電流の周波数が、第１および第２の周波数に対応する光出力の平均値に略一致した光出力となる第３の周波数となるように点灯手段を制御することを特徴とする照明光伝送システム。
【請求項２】
データ重畳手段は、２値のデータの発生頻度が一定の比率となるように符号化するとともに当該比率に応じた重み付けを行って第１および第２の周波数に対応する光出力の平均値を求めることを特徴とする請求項１記載の照明光伝送システム。
【発明の詳細な説明】
【技術分野】
【０００１】
本発明は、光源から照射する照明光にデータを重畳させて伝送する複数の照明器具と、照明光に重畳されたデータを受信する１乃至複数の受信装置とを有する照明光伝送システムに関するものである。
【背景技術】
【０００２】
従来より、照明光にデータを重畳させて伝送する複数の照明器具と、照明光に重畳されたデータを受信する受信装置とを有する照明光伝送システムが種々提案されている。
【０００３】
現在、一般照明用として最も広く普及している光源は蛍光灯であり、蛍光灯を光源とする照明器具（以下、蛍光灯照明器具と呼ぶ。）を利用した照明光伝送システムが種々提案されている（例えば、特許文献１、特許文献２参照）。かかる蛍光灯照明器具は、ＬＣ共振型のインバータ回路により商用周波を高周波に変換して蛍光灯を高周波点灯する点灯装置（いわゆる蛍光灯電子安定器）を備えており、蛍光灯の点灯時におけるインバータ回路の出力特性がＬＣ共振回路並びに蛍光灯を含めた共振系の共振周波数ｆ０にピークを持つ山型の波形となることから（図５参照）、インバータ回路の動作周波数を定格点灯時の周波数ｆ１（＞ｆ０）から変調周波数ｆ２（＞ｆ１）に上昇させることでインバータ回路から蛍光灯への供給電力（ランプ電流）を減少させて光出力を低下させることができる。従って、図６に示すように送信データがＬレベル（０）のときにインバータ回路の動作周波数を定格点灯時の周波数ｆ１とし、送信データがＨレベル（１）のときにインバータ回路の動作周波数を変調周波数ｆ２に切り換えることにより、インバータ回路の動作周波数を送信データで周波数変調（ＦＳＫ＜周波数シフトキーイング＞）して送信データを照明光に重畳することができる。なお、インバータ回路の動作周波数は、蛍光灯の発光効率やインバータ回路を構成する回路部品の寸法、発熱、ノイズ規制等の制限によって一般的に４０〜１００ｋＨｚに設定される。
【０００４】
上述のように照明光を送信データで周波数変調する場合、蛍光灯から放射される照明光の光出力が変調によって増減する、つまり、上述の例で言えば送信データがＬレベルのときの光出力に対して送信データがＨレベルのときの光出力が減少する。そして、送信データにおける０と１（ＬレベルとＨレベル）の発生頻度が何れか一方に偏ったときに照明光の光出力の変動が人の眼に許容できないほどのちらつきとして感じられることから、照明器具としての使用に実用上の問題が生じる可能性があった。特に、データ送信を行っていないときも通常の照明を行っていれば、データの非送信時にも照明光が照射されるためにデータの送信時と非送信時との照明光の光出力の変動が顕著に視認される可能性がある。
【０００５】
これに対して従来は、送信データをマンチェスタ符号化することで送信データにおける０と１（ＬレベルとＨレベル）の発生頻度を一定にして照明光の光出力変動を抑制したものが提案されている（例えば、特許文献３参照）。
【特許文献１】特開昭６０−３２４４３号公報
【特許文献２】特開平６−２０７８５号公報
【特許文献３】特表２００２−５１１７２７号公報
【発明の開示】
【発明が解決しようとする課題】
【０００６】
しかしながら、特許文献３に記載のものでは、データ送信時における照明光の光出力の平均はほぼ一定にできるが、上述のようにデータ送信を行っていないときも通常の照明を行う場合においては、送信データをマンチェスタ符号化しても送信時と非送信時との照明光の光出力変動を抑制することはできず、顕著に視認される可能性がある。
【０００７】
本発明は上記事情に鑑みて為されたものであり、その目的は、データ送信を行っていないときに通常の照明を行う場合においても送信時と非送信時との照明光の光出力変動を抑制して顕著に視認されることがないようにした照明光伝送システムを提供することにある。
【課題を解決するための手段】
【０００８】
請求項１の発明は、上記目的を達成するために、光源から照射する照明光にデータを重畳させて伝送する１乃至複数の照明器具と、照明光に重畳されたデータを受信する１乃至複数の受信装置とを有する照明光伝送システムであって、照明器具は、光源と、光源を点灯する点灯手段と、点灯手段を制御して光源から照射される照明光に２値のデータを重畳するデータ重畳手段とを備え、データ重畳手段は、点灯手段から光源に供給される電流の周波数を２値のデータに対応した第１および第２の周波数に切り換えて周波数変調するとともに、データを重畳しないときは光源に供給される電流の周波数が、第１および第２の周波数に対応する光出力の平均値に略一致した光出力となる第３の周波数となるように点灯手段を制御することを特徴とする。
【０００９】
請求項２の発明は、請求項１の発明において、データ重畳手段は、２値のデータの発生頻度が一定の比率となるように符号化するとともに当該比率に応じた重み付けを行って第１および第２の周波数に対応する光出力の平均値を求めることを特徴とする。
【発明の効果】
【００１０】
請求項１の発明によれば、データ重畳手段は、点灯手段から光源に供給される電流の周波数を２値のデータに対応した第１および第２の周波数に切り換えて周波数変調するとともに、データを重畳しないときは光源に供給される電流の周波数が、第１および第２の周波数に対応する光出力の平均値に略一致した光出力となる第３の周波数となるように点灯手段を制御するので、データを重畳しないとき（非送信時）は光源に供給される電流の周波数が第３の周波数に制御されて第１および第２の周波数に対応する光出力の平均値に略一致した光出力となるから、データ送信を行っていないときに通常の照明を行う場合においても送信時と非送信時との照明光の光出力変動を抑制して顕著に視認されるのを防ぐことができる。
【００１１】
請求項２の発明によれば、データ重畳手段は、２値のデータの発生頻度が一定の比率となるように符号化するとともに当該比率に応じた重み付けを行って第１および第２の周波数に対応する光出力の平均値を求めるので、種々の符号化方式において送信時と非送信時との照明光の光出力変動を適切に抑制することができる。
【発明を実施するための最良の形態】
【００１２】
本実施形態の照明光伝送システムは、照明光を照射する１乃至複数台の照明器具Ｔと、１乃至複数台の受信装置Ｒとで構成される。
【００１３】
受信装置Ｒは、図１（ｂ）に示すように照明器具Ｔの照明光を受光して電気信号に変換する光電変換回路２０と、光電変換回路２０から出力する電気信号（受信信号）を増幅する増幅回路２１と、増幅回路２１で増幅された受信信号からデータを復調する復調回路２２と、復調回路２２で復調されたデータ（受信データ）を処理する受信データ処理回路２３とを備えている。
【００１４】
光電変換回路２０は、照明光のデータが重畳されている周波数成分を透過する光学フィルタと、光学フィルタを透過した周波数成分を電気信号に変換するＰＩＮフォトダイオードのような光電変換素子とで構成される。但し、ＰＩＮフォトダイオードの代わりにフォトトランジスタや増幅器を集積したフォトＩＣを用いてもよい。増幅回路２１は汎用のオペアンプＩＣ等で構成される差動増幅回路であるが、オペアンプＩＣの代わりにトランジスタで構成されるものであっても構わない。但し、光電変換回路２０から出力する受信信号が復調回路２２で復調処理するのに十分なレベルであれば、増幅回路２１を省略してもよい。
【００１５】
復調回路２２は、例えばバンドパスフィルタ（図示せず）と、バンドパスフィルタを通過した受信信号の信号レベルをしきい値と比較する比較回路（図示せず）とで構成される。バンドパスフィルタは、変調周波数ｆ２の２倍の周波数を通過帯域の中心周波数とした汎用のフィルタである。但し、定格点灯時の周波数ｆ１の２倍の周波数を通過帯域の中心周波数としてもよく、その場合は復調される受信データの論理が反転しているから受信データ処理部２３でさらに反転する必要がある。比較回路はコンパレータからなり、変調周波数ｆ２の２倍の周波数成分がバンドパスフィルタを通過したときにＨレベルの信号を出力するとともにその他のときにＬレベルの信号を出力することで照明器具Ｔから照射される照明光の受信信号より受信データを復調する。
【００１６】
受信データ処理回路２３はマイコンを主構成要素とするものであって、復調回路２２で復調された受信データの有効性を判断するとともに、有効と判断した受信データを他の電子機器（例えば、ＰＤＡ、携帯電話機など）に伝送したり、受信データに含まれる位置情報を、別途記憶している地図情報に基づいて表示デバイスの画面上に表示したり、あるいは音声で報知する処理等を行う。
【００１７】
照明器具Ｔは蛍光灯照明器具であって、図１（ａ）に示すように送信データを示すデータ信号（Ｈ、Ｌの２値をとる方形パルス信号）を出力する信号源１と、信号源１から出力するデータ信号（ベースバンド信号）をマンチェスタ符号等で符号化するとともに符号化されたデータを照明光に重畳させる制御回路２と、光源たる蛍光灯３と、商用交流電源ＡＣを整流平滑して直流電力に変換する直流電源回路４と、直流電力を商用周波よりも高い高周波の交流電力に変換して蛍光灯３を高周波点灯する点灯回路５と、商用交流電源ＡＣのゼロクロス点を検出するゼロクロス点検出回路６と、ゼロクロス点検出回路６がゼロクロス点を検出した時点から所定の遅延時間を計時する計時回路７とを備えている。
【００１８】
信号源１は、例えば、照明器具Ｔの設置場所を示す位置情報がディップスイッチやＥＥＰＲＯＭなどで設定され、当該位置情報に対応するデータ信号を繰り返し出力している。ここで、送信データはＮＲＺ符号であって、Ｈ、Ｌの２値をとる方形パルスとして信号源１から出力される（図４（ａ）参照）。また、信号源１が出力するデータ信号の周波数は、人間の眼が複数の光源の明暗の切換を認識可能である周波数（ＣＦＦ：Critical Fusion Frequency）よりも高い周波数に設定されている。なお、ＣＦＦは年齢（高齢者は相対的に光の変化に対する応答性が低い傾向にある。）や個人差によって異なると言われているが、少なくとも１２０ｋＨｚ以上であれば特に支障はない。何故なら、５０Ｈｚ又は６０Ｈｚの商用周波で点灯する白熱灯や銅鉄安定器で点灯する蛍光灯の光出力波形の周波数が１００Ｈｚ又は１２０Ｈｚであり、これと同水準であればちらつきとして感じないと考えられるからである。故に、１２０Ｈｚの逆数である８．３μ秒以下の周期でデータ信号を繰り返し出力すればよい。
【００１９】
直流電源回路４は、交流電源電圧を全波整流するダイオードブリッジＤＢと、全波整流された脈流電圧を平滑する平滑コンデンサＣ０とで構成されている。但し、直流電源回路４の構成はこれに限らず、力率改善用の昇圧チョッパ回路と平滑コンデンサの組合せでもよいし、あるいは電池でも構わない。
【００２０】
点灯回路５は、従来例で説明したＬＣ共振型のインバータ回路であって、電界効果トランジスタやバイポーラトランジスタからなる２つのスイッチング素子Ｑ１，Ｑ２の直列回路と、スイッチング素子Ｑ１，Ｑ２の接続点に一端が接続された直流カット用のコンデンサＣ１と、コンデンサＣ１と蛍光灯３の片側のフィラメントの一端との間に挿入されたインダクタＬ１と、蛍光灯３のフィラメントの非電源側に接続された予熱コンデンサＣ２とを備え、インダクタＬ１と予熱コンデンサＣ２と蛍光灯３が共振回路を構成している、いわゆるハーフブリッジ式のインバータ回路からなる。すなわち、駆動回路５ａから出力する駆動信号によりスイッチング素子Ｑ１，Ｑ２を高周波で交互にオン／オフすることで直流電源回路４から供給される直流電力を高周波交流電力に変換して蛍光灯３を高周波点灯するものである。そして、従来技術で説明したように、蛍光灯３の点灯時における点灯回路５（インバータ回路）の出力特性が共振回路の共振周波数ｆ０にピークを持つ山型の波形となることから（図５参照）、制御回路２から出力する周波数制御信号で駆動回路５ａを制御して点灯回路５の動作周波数（スイッチング素子Ｑ１，Ｑ２をオン／オフする周波数）を定格点灯時の周波数（第１の周波数）ｆ１（＞ｆ０）から変調周波数（第２の周波数）ｆ２（＞ｆ１）に上昇させることで点灯回路５から蛍光灯３への供給電力（ランプ電流）を減少させて光出力を低下させることができ、例えば、信号源１から出力する送信データがＬレベルのときに点灯回路５の動作周波数を第１の周波数ｆ１とし、送信データがＨレベルのときに点灯回路５の動作周波数を第２の周波数ｆ２に切り換えて点灯回路５の動作周波数を送信データで周波数変調（ＦＳＫ）することで送信データを照明光に重畳している。つまり、本実施形態では制御回路２がデータ重畳手段に相当する。但し、点灯回路５の構成はこれに限定されるものではなく、従来周知のフルブリッジ式や一石式のインバータ回路であってもよいし、あるいは直流電源回路４を構成する昇圧チョッパ回路とスイッチング素子等の部品を共用する構成であっても構わない。
【００２１】
制御回路２はマイコンを主構成要素とし、周波数制御信号によって駆動回路５ａがスイッチング素子Ｑ１，Ｑ２を駆動する周波数（点灯回路５の動作周波数）を調整することにより、蛍光灯３の予熱、始動、点灯並びに送信データの重畳を行うものである。また制御回路２では、データ送信中における照明光の光出力変動を抑制するため、０と１（ＬレベルとＨレベル）の発生頻度を一定とするような符号化（例えば、マンチェスタ符号化）を送信データに対して実行する。但し、蛍光灯３の予熱、始動、点灯に関する具体的な制御内容については従来周知であるから説明は省略する。なお、計時回路７は制御回路２を構成するマイコンで構成されるが、独立したタイマＩＣで構成しても構わない。
【００２２】
ゼロクロス点検出回路６は、ダイオードブリッジＤＢの脈流出力を分圧抵抗Ｒ１，Ｒ２で分圧した検出電圧Ｖｘと、図示しない定電圧回路で作成された制御電圧Ｖccを分圧抵抗Ｒ３，Ｒ４で分圧した基準電圧ＶthとをコンパレータＣＰで比較し、検出電圧Ｖｘが基準電圧Ｖthよりも低いときにＨレベルのゼロクロス点検出信号を制御回路２へ出力するものである。なお、分圧抵抗Ｒ１と平滑コンデンサＣ０との間には平滑コンデンサＣ０の充電電荷が分圧抵抗Ｒ１，Ｒ２を介して放電しないようにダイオードＤが挿入されている。また、分圧抵抗Ｒ２と並列に接続されているコンデンサＣ３によって脈流電圧に含まれる高調波成分がコンパレータＣＰに入力されるのを防いでいる。
【００２３】
制御回路２では、ゼロクロス点検出回路６からゼロクロス点検出信号が入力された時点より計時回路７に所定の遅延時間ＳＴの計時を開始させ、計時回路７による遅延時間ＳＴの計時が完了したときに信号源１が出力する送信データを照明光に重畳する。
【００２４】
例えば、図２に示すように４台の照明器具Ｔ１〜Ｔ４がそれぞれ８ビットの送信データを繰り返し送信する場合において、各照明器具Ｔ１〜Ｔ４の制御回路２には互いに異なる遅延時間ＳＴ１〜ＳＴ４（ＳＴ１＜ＳＴ２＜ＳＴ３＜ＳＴ４）が設定されているものとする。照明器具Ｔ１の制御回路２は、ゼロクロス点検出信号が入力された時点で直ちに信号源１が出力する送信データを照明光に重畳し、照明器具Ｔ２の制御回路２は、ゼロクロス点検出信号が入力された時点から遅延時間ＳＴ２が経過した時点で信号源１が出力する送信データを照明光に重畳し、照明器具Ｔ３の制御回路２は、ゼロクロス点検出信号が入力された時点から遅延時間ＳＴ３（＝ＳＴ２×２）が経過した時点で信号源１が出力する送信データを照明光に重畳し、照明器具Ｔ４の制御回路２は、ゼロクロス点検出信号が入力された時点から遅延時間ＳＴ４（＝ＳＴ２×３）が経過した時点で信号源１が出力する送信データを照明光に重畳して送信する。なお、照明器具Ｔ１の遅延時間ＳＴ１をゼロとしているが、必ずしもゼロである必要はない。また、遅延時間ＳＴ３，ＳＴ４をＳＴ２の２倍、３倍としているが、必ずしも倍数にする必要はなく、送信データの送信期間およびその倍数よりも長い期間であれはよい。
【００２５】
上述のように本実施形態では、複数台の照明器具Ｔが商用交流電源のゼロクロス点で同期を取りながら送信データを時分割多重伝送しているので、照明光に送信データを重畳しない期間においても通常の照明を行いつつ、複数台の照明器具Ｔから照明光に重畳して送信されたデータが衝突して受信装置Ｒで正常に受信できなくなるのを防ぐことができる。
【００２６】
次に、本発明の要旨である、データを送信しないとき（非送信時）の制御回路２による照明光の光出力制御について説明する。
【００２７】
従来技術で説明したように、送信データをマンチェスタ符号化すればデータ送信時における照明光の光出力の平均はほぼ一定にできるが、データ送信を行っていないときも通常の照明を行う場合（例えば、複数台の照明器具Ｔがデータを時分割多重伝送する場合）においては、送信データをマンチェスタ符号化しても送信時と非送信時との照明光の光出力変動を抑制することはできない。そこで本実施形態では、データを重畳しないとき（非送信時）に点灯回路５から蛍光灯３に供給されるランプ電流の周波数が、第１の周波数ｆ１および第２の周波数ｆ２に対応する光出力の平均値に略一致した光出力となる第３の周波数ｆ３（ｆ１＜ｆ３＜ｆ２）となるように（図５参照）、制御回路２が駆動回路５ａに周波数制御信号を出力して点灯回路５の動作周波数を制御している（図３参照）。このようにして非送信時における点灯回路５の動作周波数を制御回路２で制御すれば、データを重畳しないとき（非送信時）は蛍光灯３に供給されるランプ電流の周波数が第３の周波数ｆ３に制御されて第１および第２の周波数ｆ１，ｆ２に対応する光出力の平均値に略一致した光出力となるから、データ送信を行っていないときに通常の照明を行う場合においても、送信時と非送信時との照明光の光出力変動を抑制して顕著に視認されるのを防ぐことができる。
【００２８】
ここで、制御回路２で実行する符号化方式はマンチェスタ符号化（図４（ｇ）参照）に限定されるものではなく、以下に説明するような種々の符号化方式が採用可能である。
【００２９】
例えば、図４（ｂ）に示すようにビットパターン（０と１の並び方）が基本単位時間の前半をデータ信号自体に、後半をデータ信号のビットを反転したビットに符号化してもよい。但し、同一のデータ信号を繰り返し送信する場合は８．３μ秒以下を単位時間、繰り返し送信しない場合は４．１μ秒以下を単位時間とする。また、図４（ｃ）に示すようにデータ信号における０のレベル及び１のレベルともに常に定格点灯時の周波数（第１の周波数）ｆ１→第２の周波数ｆ２の順で、周期がデータ信号における０のレベルが２ｔ、１のレベルが４ｔとなるようにしてもよい（ｔは基本時間）。但し、第２の周波数ｆ２→第１の周波数ｆ１の順でも良い。また周期をデータ信号における０のレベルが４ｔ、１のレベルが２ｔでも良い。あるいは、図４（ｄ）に示すように１ビットあたりの時間を等しくしても構わない。この場合、送信データに関わらず送信時間が一定になり、制御回路２での時間管理が容易になる。なお、これらの符号化方式では、マンチェスタ符号化と同様に１ビット単位で第１の周波数ｆ１と第２の周波数ｆ２の発生比率が等しくなる。また、データ信号がクロック成分を含んでいるために信号の同期がとりやすく、かつ受信装置Ｒで周波数だけでなく時間幅でも確認でき、受信信頼性が高くなる。さらに、データ信号に関わらず立ち下がりから立ち下がり（第２の周波数ｆ２→第１の周波数ｆ１）の時間が必ず１ビットになるので、特に蛍光灯照明器具の特性として、蛍光体の蓄光現象や点灯回路５の制御応答性等により、“暗”から“明”への変化（第２の周波数ｆ２→第１の周波数ｆ１）と“明”から“暗”への変化（第１の周波数ｆ１→第２の周波数ｆ２）の時間に差が生じることがあるが、信号“１０”（ｆ１、ｆ２、ｆ２、ｆ１）と“１１”（ｆ１、ｆ２、ｆ１、ｆ２）の違いを判別する場合に、第２の周波数ｆ２に対応する周波数制御信号の時間バラツキによる誤受信を軽減することができる。
【００３０】
また、図４（ｅ）に示すようにデータ信号のスタートをに対応するビットパターンを“ＬＨＨＨＨＨＨＬ”、１のレベルに対応するビットパターンを “ＨＬＨＨ”、０のレベルに対応するビットパターンを “ＨＨＬＨ”とする符号化方式であってもよい（但し、Ｈレベルは第１の周波数ｆ１、Ｌレベルを第２の周波数ｆ２とする）。なお“Ｈ”が６個続くのはデータ信号のスタートのみでありデータ信号と判別できる。かかる符号化方式においても、マンチェスタ符号化と同様に１ビット単位で第１の周波数ｆ１と第２の周波数ｆ２の発生比率が等しくなる。また、データ信号がクロック成分を含んでいるために信号の同期がとりやすく、かつ受信装置Ｒで周波数だけでなく時間幅でも確認でき、受信信頼性が高くなる。さらに、第１の周波数ｆ１と第２の周波数ｆ２の比率が常に３：１であるから照明光の平均光出力が相対的に高くなり、点灯回路５を構成する部品のサイズやコスト面で有利になる。逆に、調光時の周波数を他の方式に比べて高くできるため、第１の周波数ｆ１と第２の周波数ｆ２との差が大きく取れるために受信信頼性が向上する。
【００３１】
また、図４（ｆ）に示すようにデータ信号のスタートをに対応するビットパターンを“ＬＨＨＨＨＬ”、１のレベルに対応するビットパターンを “ＨＬＨ”、０のレベルに対応するビットパターンを “ＨＨＬ”とする符号化方式であってもよい（但し、Ｈレベルは第１の周波数ｆ１、Ｌレベルを第２の周波数ｆ２とする）。なお“Ｈ”が４個続くのはデータ信号のスタートのみでありデータ信号と判別できる。かかる符号化方式においても、マンチェスタ符号化と同様に１ビット単位で第１の周波数ｆ１と第２の周波数ｆ２の発生比率が等しくなる。また、データ信号がクロック成分を含んでいるために信号の同期がとりやすく、かつ受信装置Ｒで周波数だけでなく時間幅でも確認でき、受信信頼性が高くなる。さらに、第１の周波数ｆ１と第２の周波数ｆ２の比率が常に２：１であるから照明光の平均光出力が相対的に高くなり、点灯回路５を構成する部品のサイズやコスト面で有利になる。逆に、調光時の周波数を他の方式に比べて高くできるため、第１の周波数ｆ１と第２の周波数ｆ２との差が大きく取れるために受信信頼性が向上する。
【００３２】
なお、図４（ｇ）に示したマンチェスタ符号化方式や図４（ｂ）〜（ｄ）に示した符号化方式では第１の周波数ｆ１と第２の周波数ｆ２の比率が常に等しくなるから、第１および第２の周波数ｆ１，ｆ２に対応する光出力を単純に算術平均して求めればよいが、図４（ｅ）に示した符号化方式では第１の周波数ｆ１と第２の周波数ｆ２の比率が３：１であり、図４（ｆ）に示した符号化方式では第１の周波数ｆ１と第２の周波数ｆ２の比率が２：１であるから、第１および第２の周波数ｆ１，ｆ２に対応する光出力の平均値を求める際に重み付けを行うことが望ましい。すなわち、動作周波数とランプ電流（光出力）とが比例するとみなせば、第１の周波数ｆ１と第２の周波数ｆ２の比率が３：１であるときに光出力の平均値に対応する第３の周波数ｆ３はｆ３＝ｆ１＋（ｆ１＋ｆ２）／４で求められ、第１の周波数ｆ１と第２の周波数ｆ２の比率が２：１であるときに光出力の平均値に対応する第３の周波数ｆ３はｆ３＝ｆ１＋（ｆ１＋ｆ２）／３で求められる。そして、このようにして求められた光出力の平均値にほぼ等しい光出力となる第３の周波数ｆ３と、非送信時における点灯回路５の動作周波数とを一致させるように制御回路２が点灯回路５の動作周波数を制御するのである。なお、本実施形態では光源として蛍光灯を例示したが、蛍光灯以外の放電灯（例えば、ＨＩＤ等の高輝度放電灯や無電極放電灯など）、白熱灯、あるいは発光ダイオードや有機ＥＬ素子等の個体発光素子であってもよく、供給電力を周波数変調することでデータの重畳が可能であるとともに周波数変調に伴って光出力が変化するものであれば構わない。
【図面の簡単な説明】
【００３３】
【図１】（ａ）は本実施形態における照明器具のブロック図、（ｂ）は受信装置のブロック図である。
【図２】同上の動作説明図である。
【図３】同上の動作説明図である。
【図４】（ａ）〜（ｇ）は同上におけるデータ信号の符号化方式の説明図である。
【図５】同上の動作説明図である。
【図６】従来例の説明図である。
【符号の説明】
【００３４】
Ｔ  照明器具
Ｒ  受信装置
１  信号源
２  制御回路
３  蛍光灯
４  直流電源回路
５  点灯回路
【図１】
0004609362.tif 000002
【図２】
0004609362.tif 000003
【図３】
0004609362.tif 000004
【図４】
0004609362.tif 000005
【図５】
0004609362.tif 000006
【図６】
0004609362.tif 000007